(57)【要約】【課題】低温時に発生するシリコンコーキングまたはボンド等の低温硬化による作業効率の悪さと、産業廃棄物として処理しなければならなかった労力および経費の軽減、加熱する設備費用も削減でき、夜間作業時の照明機材、電源の確保等これらに係る諸作業、諸経費の軽減を図り、本来の作業である充填剤の無駄を無くし施工精度の確立と、作業効率アップを課能とする。【解決手段】本発明の電気加熱式充填銃は本体に内蔵の電源にてヒーターに通電し、充填材を加熱し流動性を適正に保ち、また夜間作業時には本体の照明灯によって施工場所を正確に照射し施工精度の確立を図る。【選択図】      図１
2005246364.tif 000002
【特許請求の範囲】
【請求項１】
ワイヤーメッシュを円筒とした内筒に、蓄電池式電源により作用する絶縁カバーを施したヒーターを組込み、その外側に熱の拡散による外気への放熱を防止するための保温材を施し、成型されたハウジングに収め加熱ができる構造とし、充填剤が充填されたノズル付充填材カートリッジ又はラミネートチュウブ式カートリッジを先端部から挿入し、ロック機能を備えたキャップにて装着し、後部からスプリングを用いたロッドによりカートリッジ内のノズルから連続して抽出するための、押出しレバー付グリップとから構成され、挿入された充填剤カートリッジの充填剤を一定温度に加熱し、外気が低温状態でも充填施工ができるようにした電気加式充填銃。
【請求項２】
グリップの下部には一般商業用電源、自動車用電源からも電源が確保できる充電器にて充電された、着脱可能なカートリッジ式蓄電池を備え、電源の供給が無くても本体のみを携帯し、常温または低温時においても施工現場での充填施工を可能とした請求項１記載の電気加熱式充填銃。
【請求項３】
夜間及び暗闇でも照明装置を必要とせず、充填施工個所を、本体の照明灯にて的確に照射し、明確に確認できるようにした請求項１及び請求項２記載の電気加熱式充填銃。
【発明の詳細な説明】
【技術分野】
【０００１】  本発明は充填作業の作業能率向上に関するものである。
【背景技術】
【０００２】  充填銃はシリコンコーキングまたはボンド等の充填剤と共に建築分野、その他の分野で幅広く実用に供されている。
実用のシリコンコーキングまたはボンド等の充填剤は外気温度が低温になると低温硬化を起こし流出が困難になる。又、低温時には現場で加熱をしながら使用するが、充填作業の時間経過により低温度になり、加熱温度を一定に保つことが難しく、尚且つ過熱の状態により必要以上に充填剤の流出がある。
この様な低温あるいは過熱時には作業の後始末に非常に時間がかかり、本来の充填作業の作業効率が低下する欠点があった。又、非常に多くの充填剤の無駄が発生し、経済性も悪く、更には充填剤を産業廃棄物として処理しなければならない状況である。【０００３】  又、夜間作業時には手元を照らす照明装置が必要で、照明装置の準備及び設置する時間等を必要とした。【０００４】  この改善策として電源が供給できない場所、又は夜間での作業性を考慮し電気加熱式充填銃を使用し、シリコンコーキング又はボンド等の充填剤を一定の流動温度に加熱し、余分な充填剤の流出と充填作業時における産業廃棄物の発生を軽減させ、手元を照らす照明灯を組込む方法がある。
【特許文献１】特開２００１−２３２２６７
【特許文献２】特許第３３７００３６
【発明の開示】
【発明が解決しようとする課題】
【０００５】  解決しようとする問題点は、充填作業において障害となるシリコンコーキング又はボンド等の充填剤を充填銃のみで一定の流動温度に加熱することができない。また、夜間作業時に手元が暗い点であり、照明装置を別個に作業現場に準備が必要であること等。
【課題を解決するための手段】
【０００６】  本発明の電気加熱式充填銃は、電源供給が出来ない充填作業現場において、シリコンコーキング又はボンド等の充填剤を、予め別な装置にて流動温度に加熱することなく、又、夜間作業においても手元を照明する装置が不要で連続作業ができ、作業時間の大幅な短縮と産業廃棄物の発生を極力少なくすることを最も主要な特徴とする。
【発明の効果】
【０００７】  本発明の電気加熱式充填銃はヒーター部にカートリッジ式蓄電池で通電し、充填材を一定温度に加熱するため、低温時の作業中においても充填材を流動する温度に保つことが出来ることにより作業性も向上し、夜間作業時においても自在角度照明灯にて手元を照射し、常に作業箇所を確認することができるので、正確且つ、作業効率を向上させるという利点がある。
【発明を実施するための最良の形態】
【０００８】  高所、広範囲等の各種作業現場おいて、本発明の電気加熱式充填銃と充填剤カートリッジのみで充填作業が出来ることとし、出来る限り充填作業の向上を図る目的を、最小の部品数で軽量化し、操作性を損なわずに実現した。
【実施例】
【０００９】  本発明に係るシリコンコーキング又はボンド等の充填剤の抽出装置である電気加熱式充填銃の構成を図面に示す実施例について説明する。図１に示すように充填剤２０の充填された、一端にカートリッジノズル２１を備えた充填剤カートリッジ１９をワイヤーメッシュ内筒１、ヒーター２、絶縁カバー３、保温材４から構成されるハウジング５に挿着、加熱し、充填剤カートリッジ１９内の充填剤２０を後部から押圧して先端のカートリッジノズル２１から施工面に向けて連続的に抽出するための電気加熱式充填銃と加熱用の電源であるカートリッジ式蓄電池１５を充電する図４に示すカートリッジ式蓄電池用充電器１７から構成されている。【００１０】  充填剤カートリッジ１９は先端にカートリッジノズル２１を有し、内部にはヒーター用点滅器１２の開閉により通電されたヒーター２で加熱された充填剤２０が、後端部に摺動可能な押出し底板２４を備えた押出しロッド２２、ロッドスプリング２３で組立られた押出し機構によって、片手でグリップ１４を握りながら押出しレバー２５を引くことにより充填剤２０がカートリッジノズル２１から連続して抽出する。【００１１】  夜間作業時における作業性の向上を図るため、照明設備を配置することなく、ハウジング５には図２に示すように自在角度照明灯用点滅器１３において電流を開閉できる自在角度照明灯６を配し作業個所を照射し的確に確認できる構造とする。【００１２】  図４に示すように充填剤２０を加熱するヒーター２には、電流の漏電防止を防ぐため絶  縁カバー３を施し、サーモスタット７を接続することにより加熱温度を一定に保ち、充  填剤２０の過熱を防止する構造とする。【００１３】  図３において充填剤カートリッジ１９をワイヤーメッシュ内筒１に挿入するときはカートリッジキャップ８を外し挿入する。
ワンタッチで装着出来るようにハウジング５の外周にキャップロックピン９を配置し、カートリッジキャップ８のキャップロックピン穴９と合致させ、円周方向に極僅かに回転させることにより、充填カートリッジ１９を装着する。尚、カートリッジキャップ８とハウジング５にはストラップ１１を取付け充填作業時のカートリッジキャップ８の紛失を防止する。【００１４】  図１に示すカートリッジ式蓄電池１５の電力が消耗した時にはカートリッジ式蓄電池ロックボタン１６にてワンタッチで交換することが出来る構造とし、図５に示すように電力が消耗したカートリッジ式蓄電池１５を充電するカートリッジ式蓄電池用充電器１７には一般商業用電源及び自動車用電源コンセント１８を備え、両電源より給電出来る構造とした。
【産業上の利用可能性】
【００１５】  本発明に係る電気加熱式充填銃はシリコンコーキングまたはボンド等の充填剤の低温時硬化による抽出が困難になり施工不良することなく、常に適温状態の一定温度を保ち連続して円滑に作業効率を向上させることと、高所、広範囲等の各種作業現場、又、夜間作業時に移動電線等での電源供給することなく、本発明の電気加熱式充填銃と充填剤カートリッジのみで作業効率の向上した的確な充填作業が出来る。
低温時の抽出不良による施工不良、過熱による抽出過大による施工不良など充填剤の無駄、又、それらの処分に伴う産業廃棄物の処理量を大幅に削減することができ、これらの問題を適切に解消することができる。
【図面の簡単な説明】
【００１６】
【図１】本発明の電気加熱式充填銃の構成を示す断面図である。（実施例１）
【図２】本発明の電気加熱式充填銃の構成を示す正面図である。（実施例２）
【図３】充填剤カートリッジ装着部を示す斜視図である。（実施例３）
【図４】ヒーターの詳細図である。（実施例４）
【図５】カートリッジ式蓄電池用充電器の構成を示す斜視図である。（実施例５）
【符号の説明】
【００１７】  １  ワイヤーメッシュ内筒
２  ヒーター
３  絶縁カバー
４  保温材
５  ハウジング
６  自在角度照明灯
７  サーモスタット
８  カートリッジキャップ
９  キャップロックピン
１０  キャップロックピン穴
１１  ストラップ
１２  ヒーター用点滅器
１３  自在角度照明灯用点滅器
１４  グリップ
１５  カートリッジ式蓄電池
１６  カートリッジ式蓄電池ロックボタン
１７  カートリッジ式蓄電池用充電器
１８  自動車用電源コンセント
１９  充填剤カートリッジ
２０  充填剤
２１  カートリッジノズル
２２  押出しロッド
２３  ロッドスプリング
２４  押出し底板
２５  押出しレバー
【図１】
2005246364.tif 000003
【図２】
2005246364.tif 000004
【図３】
2005246364.tif 000005
【図４】
2005246364.tif 000006
【図５】
2005246364.tif 000007